(57)【要約】    【課題】プロセッサの処理負担を増大することなく、容易にナビゲーション機能と音楽ＣＤをＨＤＤに記録する機能を同時に実行することができる車載ナビゲーション装置を提供する。    【解決手段】ミュージックサーバユニットは、ＣＤ／ＤＶＤドライブ１４により音楽ＣＤから取得した音楽データをＨＤＤ１３へ書き込むリッピング処理を行う。さらに、コマンド切替部１１１とデータ切替部１１２を切り替えることにより、ナビゲーションユニット１０から出力されるコマンド信号をコマンド切替部１１１からＨＤＤ１３に出力し、そのコマンド信号に応じてＨＤＤ１３から出力される地図データをデータ切替部１１２からナビゲーションユニット１０へ出力する。この地図データに基づいて、ナビゲーションユニット１０においてナビゲーション処理を実行する。【選択図】図２
2005172563.tif 000002
【特許請求の範囲】
【請求項１】
地図データに基づいて車両を目的地まで誘導するためのナビゲーション処理を実行する車載ナビゲーション回路と、音楽や音声をデータ化した音楽データを取得する音楽データ取得手段と、前記地図データが記録されていてデータを書き込み可能な記録手段とに接続され、
前記音楽データ取得手段により取得された音楽データを前記記録手段に書き込み、
前記車載ナビゲーション回路から出力される前記記録手段を制御するための信号を受信して前記記録手段に出力し、
前記信号に応じて前記記録手段から出力される地図データを受信して前記車載ナビゲーション回路に出力することを特徴とする車載ミュージックサーバ回路。
【請求項２】
音楽や音声をデータ化した音楽データを取得する音楽データ取得手段または地図データが記録されていてデータを書き込み可能な記録手段のいずれかを制御するためのリッピング用コマンド信号を出力する制御手段と、
前記制御手段から出力される前記リッピング用コマンド信号を前記音楽データ取得手段または前記記録手段へ出力する第１の切り替え状態と、前記地図データに基づいて車両を目的地まで誘導するためのナビゲーション処理を実行する車載ナビゲーション回路から出力されるナビゲーション用コマンド信号を前記記録手段へ出力する第２の切り替え状態とを切り替えるコマンド信号切り替え手段と、
前記リッピング用コマンド信号に応じて前記音楽データ取得手段から出力される音楽データを前記記録手段へ出力する第３の切り替え状態と、前記ナビゲーション用コマンド信号に応じて前記記録手段から出力される地図データを前記車載ナビゲーション回路へ出力する第４の切り替え状態とを切り替えるデータ切り替え手段とを備えることを特徴とする車載ミュージックサーバ回路。
【請求項３】
請求項２の車載ミュージックサーバ回路において、
前記コマンド信号切り替え手段が第１の切り替え状態であり、かつ前記データ切り替え手段が第３の切り替え状態であるとき、前記リッピング用コマンド信号を前記制御手段から前記記録手段へ出力して前記記録手段を制御することにより、前記音楽データ取得手段から出力される音楽データを前記記録手段に書き込むことを特徴とする車載ミュージックサーバ回路。
【請求項４】
請求項３の車載ミュージックサーバ回路において、
前記音楽データ取得手段から出力される音楽データを暗号化し、その暗号化された音楽データを解除するための解除キーをその暗号化された音楽データとともに前記記録手段に書き込むことを特徴とする車載ミュージックサーバ回路。
【請求項５】
請求項４の車載ミュージックサーバ回路において、
前記記録手段に書き込まれた解除キーおよび暗号化された音楽データを前記記録手段より読み出し、その音楽データの暗号化を解除して再生処理を行うことにより音声信号を出力することを特徴とする車載ミュージックサーバ回路。
【請求項６】
請求項１〜５のいずれかの車載ミュージックサーバ回路と、
地図データに基づいて車両を目的地まで誘導するためのナビゲーション処理を実行する車載ナビゲーション回路と、
音楽や音声をデータ化した音楽データを取得する音楽データ取得手段と、
前記地図データが記録されていてデータを書き込み可能な記録手段とを備えることを特徴とする車載情報端末。
【請求項７】
請求項６の車載情報端末において、
前記地図データに基づいて地図を表示するとともに、前記音楽データ取得手段により取得された音楽データが前記記録手段へ書き込まれていることを表示する表示手段をさらに備えることを特徴とする車載情報端末。
【発明の詳細な説明】
【技術分野】
【０００１】
本発明は、車両のナビゲーション機能と、音楽データをハードディスクに記録しておき必要に応じて再生出力する機能とを備えた車載情報端末に関する。
【背景技術】
【０００２】
車両を目的地まで誘導するナビゲーション機能に加えて、音楽ＣＤから音楽データを取り込んでハードディスク（ＨＤＤ）に記録しておき、必要に応じて再生出力する機能を備えた車載ナビゲーション装置が知られている（非特許文献１）。
【０００３】
【非特許文献１】特許庁  標準技術集  「カーナビゲーション装置のユーザーインターフェイス」主分類６−Ｃ−１ａ
【発明の開示】
【発明が解決しようとする課題】
【０００４】
非特許文献１に開示される装置において、ナビゲーション処理と音楽ＣＤをＨＤＤに記録する処理とを同時に行うためには、通常のナビゲーション処理の実行時に比べてプロセッサの処理負担が増大するため、高い処理能力を有するプロセッサが必要となっている。さらに近年では、音楽ＣＤの著作権保護の観点から無制限な音楽データの複製を防ぐために、音楽データを暗号化した後にＨＤＤに記録することが要望されつつある。この要望を満たすためには、ＨＤＤへの記録時に音楽データを暗号化する処理も合わせて行う必要があるため、さらにプロセッサの処理負担が増大する。このようなことから、非特許文献１に開示される装置のようにナビゲーション機能と音楽ＣＤをＨＤＤに記録する機能を有する車載情報端末において、この２つの機能を同時に実行することが困難となっている。
【課題を解決するための手段】
【０００５】
請求項１の発明による車載ミュージックサーバ回路は、地図データに基づいて車両を目的地まで誘導するためのナビゲーション処理を実行する車載ナビゲーション回路と、音楽や音声をデータ化した音楽データを取得する音楽データ取得手段と、地図データが記録されていてデータを書き込み可能な記録手段とに接続され、音楽データ取得手段により取得された音楽データを記録手段に書き込み、車載ナビゲーション回路から出力される記録手段を制御するための信号を受信して記録手段に出力し、その信号に応じて記録手段から出力される地図データを受信して車載ナビゲーション回路に出力するものである。
請求項２の発明による車載ミュージックサーバ回路は、音楽や音声をデータ化した音楽データを取得する音楽データ取得手段または地図データが記録されていてデータを書き込み可能な記録手段のいずれかを制御するためのリッピング用コマンド信号を出力する制御手段と、制御手段から出力されるリッピング用コマンド信号を音楽データ取得手段または記録手段へ出力する第１の切り替え状態と、地図データに基づいて車両を目的地まで誘導するためのナビゲーション処理を実行する車載ナビゲーション回路から出力されるナビゲーション用コマンド信号を記録手段へ出力する第２の切り替え状態とを切り替えるコマンド信号切り替え手段と、リッピング用コマンド信号に応じて音楽データ取得手段から出力される音楽データを記録手段へ出力する第３の切り替え状態と、ナビゲーション用コマンド信号に応じて記録手段から出力される地図データを車載ナビゲーション回路へ出力する第４の切り替え状態とを切り替えるデータ切り替え手段とを備えるものである。
請求項３の発明は、請求項２の車載ミュージックサーバ回路において、コマンド信号切り替え手段が第１の切り替え状態であり、かつデータ切り替え手段が第３の切り替え状態であるとき、リッピング用コマンド信号を制御手段から記録手段へ出力して記録手段を制御することにより、音楽データ取得手段から出力される音楽データを記録手段に書き込むものである。
請求項４の発明は、請求項３の車載ミュージックサーバ回路において、音楽データ取得手段から出力される音楽データを暗号化し、その暗号化された音楽データを解除するための解除キーをその暗号化された音楽データとともに記録手段に書き込むものである。
請求項５の発明は、請求項４の車載ミュージックサーバ回路において、記録手段に書き込まれた解除キーおよび暗号化された音楽データを記録手段より読み出し、その音楽データの暗号化を解除して再生処理を行うことにより音声信号を出力するものである。
請求項６の発明による車載情報端末は、請求項１〜５のいずれかの車載ミュージックサーバ回路と、地図データに基づいて車両を目的地まで誘導するためのナビゲーション処理を実行する車載ナビゲーション回路と、音楽や音声をデータ化した音楽データを取得する音楽データ取得手段と、地図データが記録されていてデータを書き込み可能な記録手段とを備えるものである。
請求項７の発明は、請求項６の車載情報端末において、地図データに基づいて地図を表示するとともに、音楽データ取得手段により読み込まれた音楽データが記録手段へ書き込まれていることを表示する表示手段をさらに備えるものである。
【発明の効果】
【０００６】
本発明の車載ミュージックサーバ回路によれば、音楽データ取得手段により取得した音楽データを記録手段へ書き込むとともに、車載ナビゲーション回路から出力される記録手段を制御するための信号を受信して記録手段に出力し、その信号に応じて記録手段から出力される地図データを受信して車載ナビゲーション回路へ出力することとした。このようにしたので、車載ナビゲーション回路ではナビゲーション処理を実行しつつ、同時に車載ミュージックサーバ回路では音楽データを記録手段へ書き込む処理を実行することができる。そのため、ナビゲーション機能と、音楽ＣＤより取得した音楽データをＨＤＤに記録する機能とを有する車載ナビゲーション装置に適用した場合に、プロセッサの処理負担を増大することなく、容易にナビゲーション機能と音楽ＣＤをＨＤＤに記録する機能を同時に実行することができる。
【発明を実施するための最良の形態】
【０００７】
本発明の一実施形態によるミュージックサーバ機能付き車載ナビゲーション装置の構成を図１に示す。このナビゲーション装置（以下、本装置という）１は、出発地から目的地までの推奨経路を地図上に表示して車両を目的地まで誘導するナビゲーション機能に加えて、音楽ＣＤから音楽データを取り込んで記録し、必要に応じて再生する機能（ミュージックサーバ機能という）を有している。図１に示すように、本装置１はナビゲーションユニット１０、ミュージックサーバユニット１１、モニタ１２、ＨＤＤ１３、およびＣＤ／ＤＶＤドライブ１４を有している。ミュージックサーバユニット１１には、音声信号を不図示のスピーカへ出力して音声を出力するためのオーディオ装置２が接続されている。
【０００８】
ナビゲーションユニット１０は、マイクロプロセッサやＲＯＭ、ＲＡＭ等を用いて構成される演算処理部１０１と、ＧＰＳ衛星から受信するＧＰＳ信号や自車両の運動状態の検出結果などに基づいて自車両の現在地を検出する現在地検出部１０２と、ユーザからの要求入力を受け付けるための入力操作部１０３とを有している。入力操作部１０３を介してユーザから目的地が設定されると、現在地検出部１０２により現在地を検出し、演算処理部１０１を用いてＨＤＤ１３に記録されている地図データを読み出して、周知のナビゲーション処理を行う。こうしてナビゲーションユニット１０において現在地から目的地までの推奨経路を求め、モニタ１２に車両を目的地まで誘導するための地図表示などを行うことで、本装置１のナビゲーション機能が実現される。このとき、ＨＤＤ１３の動作を制御するための信号をナビゲーションユニット１０からＨＤＤ１３へミュージックサーバユニット１１を介して出力する。この信号を以下の説明ではコマンド信号と称する。
【０００９】
このように、入力操作部１０３を操作して目的地を設定することで、ユーザはナビゲーション機能の実行を本装置１に対して要求することができる。さらにユーザは、入力操作部１０３の操作によって、音楽データの記録や再生などのミュージックサーバ機能の実行を本装置１に対して要求することもできる。ミュージックサーバ機能の要求がユーザから入力されると、ナビゲーションユニット１０はその要求内容をミュージックサーバユニット１１に対して通知する。なお、入力操作部１０３としては、たとえばモニタ１２と一体化されたタッチパネルやリモコンなどを用いることができる。
【００１０】
ミュージックサーバユニット１１は、ナビゲーションユニット１０より通知されたユーザからの要求内容に応じて、ミュージックサーバ機能の処理を実行する。音楽データの記録を行う場合には、ＨＤＤ１３とＣＤ／ＤＶＤドライブ１４を制御することにより、音楽ＣＤから音楽データを読み込んでＨＤＤ１３へ書き込む処理を実行する。このような処理はリッピングと呼ばれている。音楽再生を行う場合には、ＨＤＤ１３とＣＤ／ＤＶＤドライブ１４のいずれかを制御して音楽データを読み込み、再生処理を実行してオーディオ装置２に音声信号を出力する。なお音楽再生では、前述のリッピング処理によってＨＤＤ１３に記録された音楽データ、あるいはＣＤ／ＤＶＤドライブ１４にセットされた音楽ＣＤに記録された音楽データのいずれかを再生することができる。音楽ＣＤの再生と並行してリッピング処理を行うこともできる。
【００１１】
ミュージックサーバユニット１１において上記のようなミュージックサーバ機能の処理を実行するときは、コマンド信号をＨＤＤ１３やＣＤ／ＤＶＤドライブ１４へ出力する。これは、前述のナビゲーションユニット１０が出力するコマンド信号と同じものであり、ＨＤＤ１３やＣＤ／ＤＶＤドライブ１４を制御するために用いられる。すなわち、このコマンド信号によって、ＨＤＤ１３やＣＤ／ＤＶＤドライブ１４の動作がナビゲーションユニット１０またはミュージックサーバユニット１１により制御され、データの読み出しや書き込みが行われる。
【００１２】
このようにＨＤＤ１３とＣＤ／ＤＶＤドライブ１４の制御に用いられるコマンド信号には、パソコンにおいて広く用いられているＩＤＥ／ＡＴＡＰＩ規格に準拠した信号を使用することが好ましい。この信号を用いると、ＨＤＤとＣＤ／ＤＶＤドライブのように種類の異なる２つのドライブをそれぞれに制御できることから、上記のコマンド信号として適している。このとき、制御される一方のドライブがマスタに設定され、もう一方がスレーブに設定される。
【００１３】
モニタ１２は液晶ディスプレイなどを用いた表示モニタであり、ナビゲーションユニット１０によってその表示内容が制御されることで、様々な画像表示をユーザに提供する。図６は、ナビゲーション機能の実行中にリッピングを行っているときのモニタ１２の表示画面例を示す図である。図６では、地図の表示画面に重ねて、リッピング中であることを示す表示アイコン２１と、曲タイトル、トラック番号、曲の再生時間、アルバム名およびアーティスト名を示す表示バー２２が画面の一部分に表示されている。なお、図６はリッピング中であることを示す表示の一例であって、リッピング中であることをユーザに示すことができれば、表示する内容は図６のものに限定されない。
【００１４】
ＨＤＤ１３は、磁気ハードディスクを記録媒体に用いた記録装置であり、ナビゲーション処理に必要な地図データなどが書き込まれている。また、前述のようにミュージックサーバユニット１１によってリッピング処理が行われることにより、音楽ＣＤから取り込んだ音楽データが書き込まれる。ＨＤＤ１３に書き込まれたこれらのデータは、ナビゲーションユニット１０またはミュージックサーバユニット１１の制御によって読み出される。
【００１５】
ＣＤ／ＤＶＤドライブ１４は、セットされた音楽ＣＤに記録された音楽データを読み取る装置である。ＣＤ／ＤＶＤドライブ１４によって読み込まれた音楽データはミュージックサーバユニット１１に出力され、再生処理が行われて音声信号がオーディオ装置２に出力される。さらに、その音楽データをリッピング処理によってＨＤＤ１３に書き込むこともできる。なお、ＣＤ／ＤＶＤドライブ１４は、音楽ＣＤ以外のＣＤ−ＲＯＭやＤＶＤ−ＲＯＭに記録されたデータ、たとえば、更新用の地図データや、ナビゲーションユニット１０のバージョンアッププログラムなどを読み取ることもできる。これらの音楽データではないデータは、ミュージックサーバユニット１１を介してナビゲーションユニット１０あるいはＨＤＤ１３へ出力される。
【００１６】
ミュージックサーバユニット１１の機能ブロックを図２に示す。ミュージックサーバユニット１１は、コマンド受信部１１０、コマンド切替部１１１、データ切替部１１２、制御部１１３および音楽データ処理部１１４の各機能ブロックを有している。図２では、各機能ブロック間で入出力される様々な信号の流れを矢印で表し、その信号の種類によって矢印の線種を次のように変えている。すなわち、実線と白抜きの矢印はそれぞれコマンド信号とデータを表しており、破線の矢印はそれ以外の信号を表している。これらの各機能ブロックについて以下に説明する。
【００１７】
コマンド受信部１１０では、ナビゲーションユニット１０からＨＤＤ１３を制御するために出力されるコマンド信号を受信する。そして、コマンド切替部１１１が後で説明するようにナビゲーションユニット１０側に切り替えられている場合は、そのコマンド信号をコマンド切替部１１１へ出力する。一方、ミュージックサーバユニット１１側に切り替えられている場合は、そのコマンド信号をコマンド切替部１１１へ出力しない。このとき、ＨＤＤ１３がビジー状態であることを示す返信用のコマンド信号をコマンド受信部１１０からナビゲーションユニット１０へ出力する。これを受けたナビゲーションユニット１０は、ＨＤＤ１３がアクセス可能となるまで待機する。なお、コマンド受信部１１０は、制御部１１３から出力される制御信号によってコマンド切替部１１１の切り替え状態を判断する。この制御信号については後で説明する。
【００１８】
コマンド切替部１１１では、コマンド信号の入出力先の切り替えを行う。この切り替えにより、ナビゲーションユニット１０またはミュージックサーバユニット１１のいずれか一方から出力されるコマンド信号が、ＨＤＤ１３あるいはＣＤ／ＤＶＤドライブ１４に出力される。また、それに応じてＨＤＤ１３またはＣＤ／ＤＶＤドライブ１４から出力される返信用のコマンド信号が、ナビゲーションユニット１０またはミュージックサーバユニット１１のいずれか一方に出力される。ここで、ナビゲーションユニット１０は前述のようにコマンド受信部１１０を介してコマンド信号を入出力し、ミュージックサーバユニット１１は後で説明するように制御部１１３によりコマンド信号の入出力を行う。
【００１９】
コマンド切替部１１１の切り替えは、制御部１１３から出力される制御信号の状態遷移によって行われる。たとえば、制御信号がオンオフの状態を遷移することとして、次のようにコマンド切替部１１１を切り替えることができる。ミュージックサーバユニット１１がコマンド信号を発しないときは、制御部１１３からの制御信号をオフとし、コマンド切替部１１１をナビゲーションユニット１０側に切り替えるようにする。これにより、ナビゲーション処理を行うときにはナビゲーションユニット１０とＨＤＤ１３との間でコマンド信号が入出力される。
【００２０】
ミュージックサーバユニット１１がコマンド信号を発するときは、制御部１１３からの制御信号をオンとし、コマンド切替部１１１を制御部１１３側に切り替えるようにする。この場合、制御部１１３とＨＤＤ１３またはＣＤ／ＤＶＤドライブ１４との間でコマンド信号が入出力され、制御部１１３がＨＤＤ１３とＣＤ／ＤＶＤドライブ１４を制御する。このように、ミュージックサーバ機能の処理を行うときには、ミュージックサーバユニット１１とＨＤＤ１３あるいはＣＤ／ＤＶＤドライブ１４との間でコマンド信号が入出力される。なお、このように制御信号の状態が変化することで、前述のようにコマンド受信部１１０においてコマンド切替部１１１の切り替え状態を判断することができる。
【００２１】
データ切替部１１２では、データの入出力先の切り替えを行う。このデータ切替部１１２によって入出力先が切り替えられることにより、そのデータの種類に応じた処理を行うことができる。たとえば、ＨＤＤ１３から地図データを読み込む場合には、ナビゲーションユニット１０にその地図データを出力することでナビゲーション処理を行うことができる。一方、ＨＤＤ１３から音楽データを読み込んだときには、その音楽データを音楽データ処理部１１４に出力することで、後で説明するようにして音楽再生処理を行うことができる。
【００２２】
データ切替部１１２の切り替えは、コマンド切替部１１１と同様に、制御部１１３から出力される制御信号の状態遷移によって行われる。このときの制御信号の状態数は、データ切替部１１２の切り替え状態の数に応じて設定される。たとえば、データ切替部１１２の切り替え状態が４種類であったとすると、制御信号は制御部１１３によって４種類の状態のいずれかを遷移する。そして、この制御信号の状態に応じて、データ切替部１１２においてデータの入出力先が切り替えられる。なお、このデータ入出力先の切り替えについては、図３〜５を用いた具体的な処理内容に対応させた説明を後で行う。
【００２３】
制御部１１３では、上記に説明したように、コマンド信号の出力、およびコマンド切替部１１１とデータ切替部１１２への制御信号の出力を行う。さらにこれ以外にも、音楽再生処理時における再生履歴の更新や、リッピング処理時における曲名やタイトル名の検索などを行う。なお、曲名やタイトル名は音楽ＣＤから読み込んだ音楽データの内容によって決定されるが、その詳細については後で説明する。
【００２４】
音楽データ処理部１１４では、データ切替部１１２より出力されるＨＤＤ１３またはＣＤ／ＤＶＤドライブ１４からの音楽データの再生処理を行い、音声信号をオーディオ装置２へ出力する。また、リッピング処理においては、ＣＤ／ＤＶＤドライブ１４から読み込んだ音楽データに対して圧縮化処理と暗号化処理をした後、その音楽データをデータ切替部１１２を経由してＨＤＤ１３へ書き込む。
【００２５】
ミュージックサーバユニット１１は以上説明した各機能ブロックにより、ナビゲーション処理時にナビゲーションユニット１０とＨＤＤ１３との間でコマンド信号とデータの中継を行うとともに、音楽再生処理やリッピング処理を実行する。図３、４および５は、本装置１においてナビゲーション処理、音楽再生処理およびリッピング処理の各処理が実行されているときに、ミュージックサーバユニット１１が入出力する信号をそれぞれ示している。なお、図３〜５では、図２に示した各信号のうち実行する処理に関連するものだけを示しており、それ以外の信号は省略している。以下、これらの図について順に説明していく。
【００２６】
図３は、ナビゲーション処理の実行時におけるミュージックサーバユニット１１の各機能ブロック間の入出力信号を表す図である。このときナビゲーションユニット１０は、制御部１１３に対してナビゲーション処理を実行することを通知する。すると、制御部１１３は制御信号の状態を遷移することにより、コマンド切替部１１１とデータ切替部１１２の切り替えを行い、ナビゲーションユニット１０とＨＤＤ１３の間でコマンド信号とデータが入出力されるようにする。その後、ＨＤＤ１３から読み出す地図データを指定するコマンド信号がナビゲーションユニット１０からコマンド受信部１１０を経由してコマンド切替部１１１に出力されると、ナビゲーションユニット１０からＨＤＤ１３にコマンド信号が出力され、指定された地図データがＨＤＤ１３から読み出される。
【００２７】
ＨＤＤ１３から読み出された地図データは、データ切替部１１２へ出力される。前述のようにデータ切替部１１２はＨＤＤ１３とナビゲーションユニット１０の間でデータが入出力されるように切り替えられているため、ＨＤＤ１３から読み出された地図データはデータ切替部１１２を経由してナビゲーションユニット１０に出力される。このようにして指定された地図データがナビゲーションユニット１０に出力され、その地図データに基づいてナビゲーションユニット１０においてナビゲーション処理が行われる。なお、このときにナビゲーションユニット１０からＨＤＤ１３に地点登録データなどを書き込むこともできる。
【００２８】
図４は、音楽再生処理時におけるミュージックサーバユニット１１の各機能ブロック間の入出力信号を表す図である。ここでは、ＨＤＤ１３に記憶された音楽データを読み出して再生する処理について説明する。なお、音楽ＣＤから読み出して再生する処理については、図５のリッピング処理において合わせて説明する。ナビゲーションユニット１０は、ユーザから音楽再生の要求が行われると、その曲名やアルバム名の情報をＨＤＤ１３から読み込んで、曲名やアルバム名の情報とともに音楽再生の要求を制御部１１３に対して出力する。
【００２９】
ナビゲーションユニット１０から音楽再生の要求が通知されると、制御部１１３は制御信号の状態を遷移することにより、コマンド切替部１１１とデータ切替部１１２の切り替えを行う。このとき、コマンド切替部１１１に対しては制御部１１３とＨＤＤ１３との間でコマンド信号が入出力されるようにし、データ切替部１１２に対してはＨＤＤ１３と音楽データ処理部１１４との間でデータが入出力されるようにする。その後、ナビゲーションユニット１０からの曲名やアルバム名の情報に基づいて、ＨＤＤ１３から読み出す音楽データを指定するコマンド信号を制御部１１３からコマンド切替部１１１に出力する。これにより、指定された音楽データがＨＤＤ１３から読み出される。
【００３０】
ＨＤＤ１３から読み出された音楽データはデータ切替部１１２へ出力され、そこから音楽データ処理部１１４へ出力される。こうして、ユーザから音楽再生を要求された音楽データが音楽データ処理部１１４へ出力される。なお、後で図５を用いて説明するように、この音楽データにはリッピング時に圧縮処理および暗号化処理が行われている。そのため音楽データ処理部１１４では、この音楽データの暗号化を解除する暗号解除処理と、圧縮された音楽データを再生可能にする伸張処理とを行った後、再生処理を行って音声信号をオーディオ装置２に出力する。このようにして音楽再生処理が行われる。なお、このときに音楽データごとの再生履歴をＨＤＤ１３に記録しておけば、ユーザはその再生履歴を参照して好みの曲を選択することができる。この再生履歴の更新は、制御部１１３からデータ切替部１１２を介してＨＤＤ１３に出力される再生履歴データによって行われる。
【００３１】
図５は、リッピング処理時におけるミュージックサーバユニット１１の各機能ブロック間の入出力信号を表す図である。ここでは、ＣＤ／ＤＶＤドライブ１４にセットされた音楽ＣＤより読み込んだ音楽データを再生しながら、その音楽データをＨＤＤ１３に書き込む処理について説明する。ナビゲーションユニット１０は、ユーザからリッピングの要求が行われると、リッピングする音楽データが記録された音楽ＣＤのトラック番号とともに、リッピングの要求を制御部１１３に対して通知する。なお、音楽ＣＤ内の音楽データの全てをリッピングの対象とすることもできる。
【００３２】
ナビゲーションユニット１０からリッピングの要求が通知されると、制御部１１３は制御信号の状態を遷移し、コマンド切替部１１１とデータ切替部１１２の切り替えを行う。このとき、コマンド切替部１１１に対しては制御部１１３とＣＤ／ＤＶＤドライブ１４との間でコマンド信号が出力されるようにし、データ切替部１１２に対してはＣＤ／ＤＶＤドライブ１４と音楽データ処理部１１４との間でデータが入出力されるようにする。その後、ナビゲーションユニット１０からのトラック番号の情報に基づいて、ＣＤ／ＤＶＤドライブ１４から読み出す音楽データを指定するコマンド信号を、制御部１３からコマンド切替部１１１に出力する。これにより、指定された音楽データがＣＤ／ＤＶＤドライブ１４から読み出される。
【００３３】
ＣＤ／ＤＶＤドライブ１４から読み出された音楽データはデータ切替部１１２へ出力され、そこから音楽データ処理部１１４へ出力される。こうして、ユーザからリッピング要求された音楽データが音楽データ処理部１１４へ出力される。音楽データ処理部１１４では、この音楽データの再生処理を行って音声信号をオーディオ装置２に出力する。これにより、音楽ＣＤの音楽データが再生される。リッピング処理では、さらにその音楽データの圧縮処理および暗号化処理を行った上で、ＨＤＤ１３への書き込みを行う。なお、圧縮処理は音楽データ量の削減を目的とするものであり、暗号化処理は著作権保護の観点から無制限な音楽データの複製を防止するために行うものである。
【００３４】
音楽データを圧縮処理する方法には様々なものが知られており、いずれも聞いたときに元の圧縮前の音感をあまり損なわないようにしてデータ量の削減を行っている。圧縮処理された音楽データは、その圧縮方法に対応した伸張処理を行うことで再生可能となる。また、暗号化処理にも様々な方法が知られているが、ここでは解除キーと呼ばれる特定のデータを暗号解除処理に用いる方法を採用する。この解除キーがなければ暗号化された音楽データを再生できないため、解除キーの複製を管理することで、ＨＤＤ１３に記録された音楽データを無制限に複製して利用することを防止できる。なお、圧縮処理の方法に対応して特定の暗号化処理方法が用いられることもある。
【００３５】
音楽データ処理部１１４は、音楽データの圧縮処理および暗号化処理を行うとき、その中に含まれているＴＯＣ（Table Of Contents）データを制御部１１３に対して出力する。このＴＯＣデータには音楽ＣＤのトラック情報など、その音楽ＣＤに固有の情報が表されている。ここで、様々な音楽ＣＤのＴＯＣデータとその音楽ＣＤの曲名やタイトル名をデータベース化してあらかじめ記憶させておけば、音楽データ処理部１１４から出力されたＴＯＣデータに基づいて、制御部１１３において音楽ＣＤの曲名やタイトル名を検索することができる。曲名やタイトル名が検索できたら、その内容を制御部１１３からデータ切替部１１２へ出力する。
【００３６】
音楽データ処理部１１４において音楽データの圧縮および暗号化処理が行われると、制御部１１３はコマンド切替部１１１とデータ切替部１１２の切替を行い、コマンド切替部１１１とデータ切替部１１２の接続先の一方を、それまでのＣＤ／ＤＶＤドライブ１４からＨＤＤ１３へと切り替える。その後、制御部１１３からＨＤＤ１３を制御することにより、圧縮および暗号化された音楽データをＨＤＤ１３に書き込む。このとき、暗号化を解除するための解除キーも合わせてＨＤＤ１３に記録しておく。さらに、前述のようにして検索した曲名やタイトル名も合わせて書き込むことができる。このようにしてリッピング処理が行われる。
【００３７】
なお、制御部１１３においてコマンド切替部１１１とデータ切替部１１２の切り替えタイミングを制御することで、以上説明したナビゲーション処理、音楽再生処理およびリッピング処理を同時に並行して実行することもできる。その場合、ナビゲーションユニット１０とミュージックサーバユニット１１は、コマンド切替部１１１が切り替わるタイミングに従って交互にＨＤＤ１３またはＣＤ／ＤＶＤドライブ１４にコマンド信号を出力し、それらを制御する。このときのナビゲーションユニット１０がＨＤＤ１３を制御するタイミングは、コマンド受信部１１０において前述のようにコマンド切替部１１１へのコマンド信号の入出力を切り替えることで制御できる。
【００３８】
以上説明した実施の形態によれば、次の作用効果が得られる。
（１）ミュージックサーバユニット１１は、ＣＤ／ＤＶＤドライブ１４により音楽ＣＤから取得した音楽データをＨＤＤ１３へ書き込むリッピング処理を行う。さらに、コマンド切替部１１１とデータ切替部１１２を切り替えることにより、ナビゲーションユニット１０から出力されるコマンド信号をコマンド切替部１１１からＨＤＤ１３に出力し、そのコマンド信号に応じてＨＤＤ１３から出力される地図データをデータ切替部１１２からナビゲーションユニット１０へ出力することとした。このようにしたので、ナビゲーション処理とリッピング処理を別のユニットで同時に実行することができる。そのため、プロセッサの処理負担を増大することなく、容易にナビゲーション機能と音楽ＣＤをＨＤＤに記録する機能を同時に実行することができる。さらに、このようなミュージックサーバユニットを用いることによって、既存のナビゲーションユニットに容易にミュージックサーバ機能を追加することができる。
【００３９】
（２）コマンド切替部１１１は、制御部１１３から出力されるコマンド信号をＣＤ／ＤＶＤドライブ１４またはＨＤＤ１３へ出力する切り替え状態（第１の切り替え状態）と、ナビゲーションユニット１０から出力されるコマンド信号をＨＤＤ１３へ出力する切り替え状態（第２の切り替え状態）とを切り替えることとした。また、データ切替部１１２は、制御部１１３からのコマンド信号に応じてＣＤ／ＤＶＤドライブ１４から出力される音楽データをＨＤＤ１３へ出力する切り替え状態（第３の切り替え状態）と、ナビゲーションユニット１０からのコマンド信号に応じてＨＤＤ１３から出力される地図データをナビゲーションユニット１０へ出力する切り替え状態（第４の切り替え状態）とを切り替えることとした。このようにしたので、リッピング処理時にはミュージックサーバユニットにより音楽ＣＤから音楽データを読み込んでＨＤＤへ出力できるとともに、ナビゲーション処理時にはナビゲーションユニットを用いてＨＤＤから必要な地図データを読み出すことができる。
【００４０】
（３）コマンド切替部１１１が第１の切り替え状態であり、かつデータ切替部１１２が第３の切り替え状態であるとき、制御部１１３からＨＤＤ１３へコマンド信号を出力してＨＤＤ１３を制御することにより、ＣＤ／ＤＶＤドライブ１４から出力される音楽データをＨＤＤ１３に書き込むこととした。このようにしたので、音楽ＣＤからＨＤＤへ出力された音楽データをＨＤＤに書き込むことができる。
【００４１】
（４）ＣＤ／ＤＶＤドライブ１４から出力される音楽データを暗号化し、その暗号化された音楽データを解除するための解除キーをその暗号化された音楽データとともにＨＤＤ１３に書き込むこととした。そして、ＨＤＤ１３に書き込まれた解除キーと暗号化された音楽データをミュージックサーバユニット１１において読み出し、その音楽データの暗号化を解除して再生処理を行い音声信号を出力することとした。このようにしたので、ＨＤＤに記録された音楽データの無制限な複製を防ぐことができる。
【００４２】
（５）ナビゲーション処理の実行中にリッピング処理を行っているとき、モニタ１２において地図の表示画面に重ねてリッピング中であることを表示することとした。このようにしたので、ナビゲーション機能と音楽ＣＤをＨＤＤに記録する機能が同時に実行されていることをユーザが認識できる。
【００４３】
なお、以上説明した実施の形態では、音楽ＣＤより音楽データを読み取ってＨＤＤへ書き込む例について説明したが、一般の市販音楽ＣＤに限らず、音楽データが記録されたＣＤ−Ｒ、ＭＤ、ＤＶＤ、あるいは各種メモリカード類など、様々な記録メディアより音楽データを読み取ることができる。さらに、ラジオやテレビからのアナログ音声信号を取り込み、アナログ・デジタル変換を行ってデータ化した後にＨＤＤへ書き込むようにしてもよい。
【００４４】
上記実施の形態では、車載ミュージックサーバ回路をミュージックサーバユニット１１によって実現し、車載ナビゲーション回路をナビゲーションユニット１０、音楽データ取得手段をＣＤ／ＤＶＤドライブ１４、記録手段をＨＤＤ１３によりそれぞれ実現している。また、制御手段を制御部１１３、コマンド信号切り替え手段をコマンド切替部１１１、データ切り替え手段をデータ切替部１１２の各機能ブロックでそれぞれ実現している。しかし、本発明は上記実施の形態に限定されるものではなく、本発明の技術的思想の範囲内で考えられるその他の態様も、本発明の範囲内に含まれる。
【図面の簡単な説明】
【００４５】
【図１】本発明の一実施形態によるミュージックサーバ機能付き車載ナビゲーション装置の構成を示す図である。
【図２】ミュージックサーバユニットの機能ブロック図である。
【図３】ナビゲーション処理の実行時におけるミュージックサーバユニットの各機能ブロック間の入出力信号を表す図である。
【図４】音楽再生処理時におけるミュージックサーバユニットの各機能ブロック間の入出力信号を表す図である。
【図５】リッピング処理時におけるミュージックサーバユニットの各機能ブロック間の入出力信号を表す図である。
【図６】ナビゲーション機能の実行中にリッピングを行っているときのモニタ表示画面例を示す図である。
【符号の説明】
【００４６】
１  ナビゲーション装置
２  オーディオ装置
１０  ナビゲーションユニット
１１  ミュージックサーバユニット
１２  モニタ
１３  ＨＤＤ
１４  ＣＤ／ＤＶＤドライブ
１１０  コマンド受信部
１１１  コマンド切替部
１１２  データ切替部
１１３  制御部
１１４  音楽データ処理部
【図１】
2005172563.tif 000003
【図２】
2005172563.tif 000004
【図３】
2005172563.tif 000005
【図４】
2005172563.tif 000006
【図５】
2005172563.tif 000007
【図６】
2005172563.tif 000008